(57)【要約】【課題】システムの運用前に行うコントローラの通信確認作業が比較的容易な設備機器の管理システムおよびコントローラを提供する。【解決手段】設備機器の管理システム１は、設備機器１０と、コントローラ２０と、管理装置３０とを備える。コントローラ２０は、設備機器１０と通信を行うことにより設備機器１０を制御する。管理装置３０は、コントローラ２０と通信を行うことにより設備機器１０を管理する。さらに、コントローラ２０は、設備機器１０と置き換わることができる仮想手段２２を有する。【選択図】　　　　図１
2004094856.tif 000002
【特許請求の範囲】
【請求項１】
設備機器の管理システムであって、
設備機器（１０）と、
前記設備機器（１０）と通信を行うことにより前記設備機器（１０）を制御するコントローラ（２０）と、
前記コントローラ（２０）と通信を行うことにより前記設備機器（１０）を管理する管理装置（３０）と、
を備え、
前記コントローラ（２０）は、前記設備機器（１０）と置き換わることができる仮想手段（２２）を有する、
設備機器の管理システム（１）。
【請求項２】
前記設備機器（１０）は、送信される指令を元に稼働するとともに、応答を送信し、
前記管理装置（３０）は、前記コントローラ（２０）を介して前記設備機器（１０）との間で前記指令および前記応答を送受信することにより前記設備機器（１０）を管理し、
前記コントローラ（２０）は、前記管理装置（３０）と前記設備機器（１０）とに接続される機器対応手段（２１）をさらに有し、
前記仮想手段（２２）は、前記機器対応手段（２１）に接続され、
前記機器対応手段（２１）は、通信確認時には前記管理装置（３０）から送信される前記指令を前記仮想手段（２２）に対して送信する第１制御と、運用時には前記管理装置（３０）から送信される前記指令を前記設備機器（１０）に対して送信する第２制御とを行い、前記設備機器（１０）から送信される前記応答または前記仮想手段（２２）から送信される仮想応答を前記管理装置（３０）に対して送信し、
前記仮想手段（２２）は、前記指令に対する前記仮想応答を前記機器対応手段（２１）に送信する、
請求項１に記載の設備機器の管理システム（１）。
【請求項３】
前記コントローラ（２０）は、前記応答を保持する保持手段（２３）をさらに有する、
請求項２に記載の設備機器の管理システム（１）。
【請求項４】
前記コントローラ（２０）は、さらに、前記第１制御と前記第２制御とのいずれか一方を選択する選択手段を有する、
請求項２または３に記載の設備機器の管理システム（１）。
【請求項５】
設備機器（１０）を制御するために管理装置（３０）と前記設備機器（１０）との間に設けられるコントローラであって、
前記設備機器（１０）に置き換わることができる仮想手段（２２）を備える、コントローラ（２０）。
【請求項６】
前記管理装置（３０）と前記設備機器（１０）とに接続される機器対応手段（２１）をさらに備え、
前記仮想手段（２２）は、前記機器対応手段（２１）に接続され、
前記機器対応手段（２１）は、通信確認時には前記管理装置（３０）から送信される前記指令を前記仮想手段（２２）に対して送信する第１制御と、運用時には前記管理装置（３０）から送信される前記指令を前記設備機器（１０）に対して送信する第２制御とを行い、前記設備機器（１０）から送信される前記応答または前記仮想手段（２２）から送信される仮想応答を前記管理装置（３０）に対して送信し、
前記仮想手段（２２）は、前記指令に対する前記仮想応答を前記機器対応手段（２１）に送信する、
請求項５に記載のコントローラ（２０）。
【請求項７】
前記応答を保持する保持手段（２３）をさらに有する、
請求項６に記載のコントローラ（２０）。
【請求項８】
前記第１制御と前記第２制御とのいずれか一方を選択する選択手段をさらに有する、
請求項６または７に記載の設備機器の管理システム（１）。
【発明の詳細な説明】
【０００１】
【発明の属する技術分野】
本発明は、設備機器の管理システムおよびコントローラ、特に、運用前に通信確認を要する設備機器の管理システムおよびコントローラに関する。
【０００２】
【従来の技術】
従来から、建物（ビル、住宅等）に設置された設備機器（空調機器、照明機器等）を建物内に設けられたコントローラを介して管理装置により管理する設備機器の管理システムが知られている。このシステムにおいて、設備機器はコントローラによって制御される。
【０００３】
このシステムにおいては、システムを実際に運用させる前に、管理装置とコントローラとの間の通信確認を行う必要がある。例えば、設備機器の運転状況を要求する指令が管理装置からコントローラに対して送信される場合には、コントローラが管理装置に対して設備機器の運転状況を送信できているか、などを確認する必要がある。
【０００４】
【発明が解決しようとする課題】
しかし、このシステムでは、コントローラと管理装置との間の通信確認を行うために、実際の設備機器を準備しコントローラと設備機器とを接続する必要がある。このため、コントローラと管理装置との間の通信確認が、大変煩雑な作業となっている。
【０００５】
本発明の課題は、設備機器の管理システムにおいて、システムの運用前に行うコントローラの通信確認作業が比較的容易な設備機器の管理システムおよびコントローラを提供することにある。
【０００６】
【課題を解決するための手段】
請求項１に記載の設備機器の管理システムは、設備機器と、コントローラと、管理装置とを備える。コントローラは、設備機器と通信を行うことにより設備機器を制御する。管理装置は、コントローラと通信を行うことにより設備機器を管理する。さらに、コントローラは、設備機器と置き換わることができる仮想手段を有する。
【０００７】
この設備機器の管理システムでは、管理装置が、コントローラと通信を行うことにより設備機器を管理する。この設備機器の管理システムにおいて、例えばシステムの管理者などがコントローラと管理装置との間の通信確認を行う際に、設備機器と仮想手段とを置き換えることができる。このため、管理装置がコントローラを介して仮想手段と通信することにより、管理者などがコントローラと管理装置との間の通信確認を行うことができる。
【０００８】
ここでは、管理者などがコントローラと管理装置との間の通信確認を行う際に、設備機器とコントローラとを接続し管理装置とコントローラとの間の通信確認を行う必要がない。このような場合には、管理装置は、コントローラを介して仮想手段と通信を行うことができる。このため、設備機器をコントローラに接続せずに管理装置とコントローラとの間の通信確認を行うことができる。このため、管理装置とコントローラとの間の通信確認作業が比較的容易になる。
【０００９】
請求項２に係る設備機器の管理システムは、請求項１に記載の設備機器の管理システムであって、設備機器が、送信される指令を元に稼働する。さらに、この設備機器は、応答を送信する。管理装置は、コントローラを介して設備機器との間で指令および応答を送受信することにより設備機器を管理する。コントローラは、機器対応手段をさらに有する。この機器対応手段は、管理装置と設備機器とに接続される。仮想手段は、機器対応手段に接続される。また、機器対応手段は、通信確認時に管理装置から送信される指令を仮想手段に対して送信する第１制御を行う。機器対応手段は、運用時に管理装置から送信される指令を設備機器に対して送信する第２制御を行う。機器対応手段は、設備機器から送信される応答または仮想手段から送信される仮想応答を管理装置に対して送信する。この仮想手段は、機器対応手段に接続される。さらに、仮想手段は、指令に対する仮想応答を機器対応手段に送信する。
【００１０】
この設備機器の管理システムでは、管理装置が、指令を機器対応手段に対して送信する。システムの管理者などがコントローラと管理装置との間の通信確認を行う際には、機器対応手段が管理装置から送信された指令を仮想手段に対して送信する。その後、仮想手段が指令に対する仮想応答を機器対応手段に送信する。そして、機器対応手段が、管理装置に対してこの仮想応答を送信する。そして、これらの指令と仮想応答のやりとりにより、管理者などがコントローラと管理装置との間の通信確認を行う。
【００１１】
ここでは、管理者などがコントローラと管理装置との間の通信確認を行う際に、設備機器とコントローラとを接続し管理装置とコントローラとの間の通信確認を行うのではない。試運転時に、仮想手段から送信される仮想応答が、機器対応手段により管理装置に対して送信される。このため、設備機器をコントローラに接続せずに管理装置とコントローラとの間の通信確認を行うことができる。このため、管理装置とコントローラとの間の通信確認作業がさらに容易になる。
【００１２】
請求項３に係る設備機器の管理システムは、請求項２に記載の設備機器の管理システムであって、コントローラがさらに保持手段を有する。この保持手段は、応答を保持する。
ここでは、保持手段が、設備機器から送信される応答を保持する。このため、管理装置からコントローラに対して応答を要求する指令が送信された際に、コントローラは設備機器に対して応答を要求する必要がない。なぜなら、コントローラは保持手段により保持される応答を管理装置に対して送信すればよいからである。その結果、コントローラの応答性が向上する。
【００１３】
請求項４に記載の設備機器の管理システムは、請求項２または３に記載の設備機器の管理システムであって、コントローラは、さらに、選択手段を有する。選択手段は、第１制御と、第２制御とのいずれか一方を選択する。
ここでは、選択手段により第１制御と第２制御とのいずれか一方を選択することができる。このため、例えば通信確認時以外においてコントローラと管理装置との通信確認を行う場合でも、第１制御を選択することができる。その結果、管理装置とコントローラとの間の通信確認作業がさらに容易になる。
【００１４】
請求項５に係るコントローラは、設備機器を制御するために管理装置と設備機器との間に設けられるコントローラであって、仮想手段を備える。さらに、仮想手段は、設備機器に置き換わることができる。
ここでは、仮想手段が設備機器に置き換わることができる。このため、設備機器をコントローラに接続せずに管理装置とコントローラとの間の通信確認を行うことができる。このため、管理装置とコントローラとの間の通信確認作業が比較的容易になる。
【００１５】
請求項６に係るコントローラは、請求項５に記載のコントローラであって、機器対応手段をさらに備える。この機器対応手段は、管理装置と設備機器とに接続される。また、仮想手段は、機器対応手段に接続される。機器対応手段が通信確認時には管理装置から送信される指令を仮想手段に対して送信する第１制御を行う。さらに、機器対応手段は、運用時に前記管理装置から送信される指令を設備機器に対して送信する第２制御を行う。機器対応手段は、設備機器から送信される応答または仮想手段から送信される仮想応答を管理装置に対して送信する。また、仮想手段は、指令に対する仮想応答を機器対応手段に送信する。
【００１６】
このコントローラでは、指令が、管理装置から機器対応手段に対して送信される。システムの管理者などがコントローラと管理装置との間の通信確認を行う際には、機器対応手段が管理装置から送信された指令を仮想手段に対して送信する。その後、仮想手段が機器対応手段に対して仮想応答を送信する。そして、機器対応手段が、管理装置に対してこの仮想応答を送信する。そして、これらの指令と仮想応答のやりとりにより、管理者などが、コントローラと管理装置との間の通信確認を行う。
【００１７】
ここでは、管理者などがコントローラと管理装置との間の通信確認を行う際に、設備機器とコントローラとを接続し管理装置とコントローラとの間の通信確認を行うのではない。試運転時に、仮想手段から送信される仮想応答が、機器対応手段により管理装置に対して送信される。このため、設備機器をコントローラに接続せずに管理装置とコントローラとの間の通信確認を行うことができる。このため、管理装置とコントローラとの間の通信確認作業が比較的容易になる。
【００１８】
請求項７に係るコントローラは、請求項６に記載のコントローラであって、さらに保持手段を有する。この保持手段は、応答を保持する。
ここでは、保持手段が、設備機器から送信される応答を保持する。このため、管理装置からコントローラに対して応答を要求する指令が送信された際に、コントローラは設備機器に対して応答を要求する必要がない。なぜなら、コントローラは保持手段により保持される応答を管理装置に対して送信すればよいからである。その結果、コントローラの応答性が向上する。
【００１９】
請求項８に記載のコントローラは、請求項６または７に記載のコントローラであって、さらに、選択手段を有する。選択手段は、第１制御と、第２制御とのいずれか一方を選択する。
ここでは、選択手段により第１制御と第２制御とのいずれか一方を選択することができる。このため、例えば通信確認時以外においてコントローラと管理装置との通信確認を行う場合でも、第１制御を選択することができる。その結果、管理装置とコントローラとの間の通信確認作業がさらに容易になる。
【００２０】
【発明の実施の形態】
＜本発明のシステムの構成＞
本発明の一実施形態に係る空調機の管理システム１の概略構成図を、図１に示す。このシステムは、主に、空調機１０と、コントローラ２０と、管理装置３０とから構成される。
【００２１】
（空調機の構成）
図２に本発明の一実施形態に係る空調機の管理システム１の外観図を示す。空調機１０は、ユーザの建物内に設置され、コントローラ２０と接続される。そして空調機１０は、コントローラ２０から送信される制御指令を元に冷房・暖房・除湿などの運転を行い、室内の空気を調和する。この空調機１０は、室内の壁面や天井などに取り付けられる室内機１１と、室外に設置される室外機１２とから構成される。室外機１２は、室外熱交換機や室外ファンなどを収納する室外空調ユニットを備えている。室外機１１内には室内熱交換機が収納され、室外機１２内には室外熱交換機が収納されている。そして、各熱交換機およびこれらの熱交換器を接続する冷媒配管が、冷媒回路を構成している。
【００２２】
空調機１０は、上記構成部品の他に、それぞれ処理部１５をさらに有する（図１参照）。処理部１５は、コントローラ２０から空調機１０の制御指令が送信される際に、この制御指令を受信し、制御指令を元に空調機１０を稼働させる。その後、処理部１５は、コントローラ２０に対して空調機１０の運転情報を送信する。空調機１０の運転情報としては、運転状態・設定温度・吸い込み温度・風量などがある。
【００２３】
なお、本発明の一実施形態に係る空調機の管理システム１においては、コントローラ２０から空調機１０の制御指令が送信される際に、処理部１５がコントローラ２０に対して空調機１０の運転情報を送信する。これに代えて、処理部１５が、一定時間毎若しくは所定時間にコントローラ２０に対して空調機１０の運転情報を送信してもよい。
【００２４】
（コントローラ２０）
次に、図１を参照して、コントローラ２０の構成について説明する。
コントローラ２０は、ユーザの建物内に設置され、空調機１０を制御する。また、コントローラ２０は、管理装置３０と接続される。このコントローラ２０は、主に、機器対応部２１と、仮想モデル２２と、データモデル２３から構成される。
【００２５】
機器対応部２１は、管理装置３０と仮想モデル２２とに接続される。さらに、機器対応部２１は、データモデル２３を介して空調機１０に接続される。機器対応部２１は、管理装置３０から空調機１０の制御指令を受信する。そして、管理装置３０とコントローラ２０との間の通信確認が行われる際（試運転時）には、機器対応部２１は受信した制御指令を仮想モデル２２に対して送信する。具体的には、試運転時には、機器対応部２１と仮想モデル２２との間にジャンパが設置される。これと同時に、機器対応部２１と空調機１０との接続が切断される。このため、試運転時には、制御指令が仮想モデル２２に対して送信される。また、本システムが実際に運用される際（運用時）には、機器対応部２１は、受信した制御指令を空調機１０に対して送信する。具体的には、運用時には、機器対応部２１と仮想モデル２２との間に設置されるジャンパが取り外される。これと同時に、機器対応部２１と空調機１０とが接続される。このため、運用時には、制御指令が空調機１０に対して送信される。さらに、この機器対応部２１は、仮想モデル２２から送信される仮想運転情報と空調機１０から送信される運転情報とを管理装置３０に対して送信する。
【００２６】
仮想モデル２２は、機器対応部２１に接続される。仮想モデル２２は、機器対応部２１から送信される制御指令を受信し、この制御指令を元にして仮想的に空調機１０の仮想運転情報を算出する。そして、仮想モデル２２は、この仮想運転情報を機器対応部２１に対して送信する。
データモデル２３は、機器対応部２１と空調機１０とに接続される。そして、データモデル２３は、空調機１０から機器対応部２１に対して送信される空調機１０の運転情報を保持する。
【００２７】
（管理装置３０）
管理装置３０は、ユーザの建物内または遠隔地に設置され、コントローラ２０と接続される（図１参照）。そして、管理装置３０は、コントローラ２０を介して空調機１０を管理する。管理装置３０は、空調機１０を制御するための制御指令をコントローラ２０に対して送信する。また、管理装置３０は、コントローラ２０の機器対応部２１から管理装置３０に対して送信される運転情報および仮想運転情報を受信する。
【００２８】
＜本システムの作用＞
以下に、本システムの作用について説明する。
まず、試運転時の本システムの作用について説明する。
図３に、試運転時における管理装置３０−コントローラ２０間の通信確認作業のフローを示す。
【００２９】
まず、管理装置３０−コントローラ２０間の通信確認作業を行う作業者などが、コントローラ２０の機器対応部２１と仮想モデル２２との間にジャンパを設置する（ステップＳ１０１）。次に、管理装置３０が、空調機１０を稼働させる制御指令をコントローラ２０に対して送信する（ステップＳ１０２）。コントローラ２０の機器対応部２１は、制御指令を受信し、仮想モデル２２に対してこの制御指令を送信する（ステップＳ１０３）。仮想モデル２２は、この制御指令を受信し、制御指令を元に仮想的に空調機１０の仮想運転情報を算出する（ステップＳ１０４）。そして、仮想モデル２２は、算出した仮想運転情報を機器対応部２１に対して送信する（ステップＳ１０５）。機器対応部２１は、仮想モデル２２から送信された仮想運転情報を管理装置３０に対して送信する（ステップＳ１０６）。作業者は、管理装置３０に送信された仮想運転情報を確認することにより、管理装置３０−コントローラ２０間の通信を確認する（ステップＳ１０７）。
【００３０】
次に、空調機を稼働させ、本システムを運用する際の本システムの作用について説明する。
図４に、本システム運用時のフローを示す。
まず、本システムの管理者などが、コントローラ２０の機器対応部２１と仮想モデル２２との間に設けられるジャンパを取り除く（ステップＳ２０１）。次に、管理装置３０が、空調機１０を稼働させる制御指令をコントローラ２０に対して送信する（ステップＳ２０２）。コントローラ２０の機器対応部２１は、制御指令を受信し、空調機１０に対してこの制御指令を送信する（ステップＳ２０３）。
空調機１０の処理部１５は、制御指令を受信し、この制御情報を元に空調機１０を稼働させる（ステップＳ２０４）。その後、処理部１５は、コントローラ２０に対して空調機１０の運転情報を送信する（ステップＳ２０５）。データモデル２３は、空調機１０の処理部１５からコントローラ２０の機器対応部２１に対して送信される運転情報を保持する（ステップＳ２０６）。コントローラ２０の機器対応部２１は、空調機１０の処理部１５から送信される運転情報を管理装置３０に対して送信する（ステップＳ２０７）。
【００３１】
＜本システムの特徴＞
（１）この空調機の管理システム１では、コントローラ２０が仮想モデル２２を有する。このため、作業者などは、空調機１０をコントローラ２０に接続することなく管理装置３０−コントローラ２０間の通信確認を行うことができる。その結果、管理装置３０−コントローラ２０間の通信確認作業が、比較的容易になる。
【００３２】
（２）この空調機の管理システム１では、コントローラ２０がさらに空調機１０の運転情報を保持するデータモデル２３を有する。このため、管理装置３０からコントローラ２０に対して空調機１０の運転情報を要求する指令が送信された際に、コントローラ２０はデータモデル２３に保持される空調機１０の運転情報を管理装置３０に対して送信すればよい。その結果、コントローラ２０の管理装置３０に対する応答性が向上する。
【００３３】
（３）この空調機の管理システム１では、ジャンパの付け外しにより、制御指令の送信先を容易に変更可能である。このため、システムの運用が開始された後に管理装置３０−コントローラ２０間の通信確認が必要になった場合でも、作業者が容易に通信確認を行うことができる。
【００３４】
（４）この空調機の管理システム１では、管理装置３０とコントローラ２０とが通信する際には、機器対応部２１を介して、空調機１０と通信する場合であっても、仮想モデル２２と通信する場合であっても、管理装置３０にとっては同様に指令と応答とを送受信することができる。このため、上記の構成以外のいかなる構成要素を必要とすることなく、管理装置３０とコントローラ２０との通信確認を容易に行うことができる。
【００３５】
（他の実施の形態）
（ａ）上記実施の形態では、試運転時に仮想モデル２２を用いてコントローラ２０と管理装置３０との通信確認を行っている。しかし、このように必ずしも試運転時に限らず、コントローラ２０と管理装置３０との通信確認を要する場合に、仮想モデル２２を用いて通信確認を行えばよい。
【００３６】
（ｂ）上記実施の形態では、ジャンパによって機器対応部２１からの指令送信対象を切り替えている。しかし、このように必ずしもジャンパに限らず、例えばソフトウエアなどによって、機器対応部２１からの送信対象を変更できればよい。
【００３７】
【発明の効果】
請求項１に係る発明では、管理者などがコントローラと管理装置との間の通信確認を行う際に、設備機器とコントローラとを接続し管理装置とコントローラとの間の通信確認を行う必要がない。このような場合には、管理装置は、コントローラを介して仮想手段と通信を行うことができる。このため、設備機器をコントローラに接続せずに管理装置とコントローラとの間の通信確認を行うことができる。このため、管理装置とコントローラとの間の通信確認作業が比較的容易になる。
【００３８】
請求項２に係る発明では、管理者などがコントローラと管理装置との間の通信確認を行う際に、設備機器とコントローラとを接続し管理装置とコントローラとの間の通信確認を行うのではない。試運転時に、仮想手段から送信される仮想応答が、機器対応手段により管理装置に対して送信される。このため、設備機器をコントローラに接続せずに管理装置とコントローラとの間の通信確認を行うことができる。このため、管理装置とコントローラとの間の通信確認作業がさらに容易になる。
【００３９】
請求項３に係る発明では、保持手段が、設備機器から送信される応答を保持する。このため、管理装置からコントローラに対して応答を要求する指令が送信された際に、コントローラは設備機器に対して応答を要求する必要がない。なぜなら、コントローラは保持手段により保持される応答を管理装置に対して送信すればよいからである。その結果、コントローラの応答性が向上する。
【００４０】
請求項４に係る発明では、選択手段により第１制御と第２制御とのいずれか一方を選択することができる。このため、例えば通信確認時以外においてコントローラと管理装置との通信確認を行う場合でも、第１制御を選択することができる。その結果、管理装置とコントローラとの間の通信確認作業がさらに容易になる。
【００４１】
請求項５に係る発明では、コントローラが設備機器と置き換わることができる仮想手段を有する。このため、設備機器をコントローラに接続せずに管理装置とコントローラとの間の通信確認を行うことができる。このため、管理装置とコントローラとの間の通信確認作業が比較的容易になる。
請求項６に係る発明では、管理者などがコントローラと管理装置との間の通信確認を行う際に、設備機器とコントローラとを接続し管理装置とコントローラとの間の通信確認を行うのではない。試運転時に、仮想手段から送信される仮想応答が、機器対応手段により管理装置に対して送信される。このため、設備機器をコントローラに接続せずに管理装置とコントローラとの間の通信確認を行うことができる。このため、管理装置とコントローラとの間の通信確認作業が比較的容易になる。
【００４２】
請求項７に係る発明では、保持手段が、設備機器から送信される応答を保持する。このため、管理装置からコントローラに対して応答を要求する指令が送信された際に、コントローラは設備機器に対して応答を要求する必要がない。なぜなら、コントローラは保持手段により保持される応答を管理装置に対して送信すればよいからである。その結果、コントローラの応答性が向上する。
【００４３】
請求項８に係る発明では、選択手段により第１制御と第２制御とのいずれか一方を選択することができる。このため、例えば通信確認時以外においてコントローラと管理装置との通信確認を行う場合でも、第１制御を選択することができる。その結果、管理装置とコントローラとの間の通信確認作業がさらに容易になる。
【図面の簡単な説明】
【図１】本発明の一実施形態に係る空調機の管理システムの概略図。
【図２】空調機の外観図。
【図３】管理装置−コントローラ間の通信確認作業のフロー図。
【図４】システム運用時のフロー図。
【符号の説明】
１　　　　空調機の管理システム（設備機器の管理システム）
１０　　　空調機（設備機器）
２０　　　コントローラ
２１　　　機器対応部（機器対応手段）
２２　　　仮想モデル（仮想手段）
２３　　　データモデル（保持手段）
３０　　　管理装置
【図１】
2004094856.tif 000003
【図２】
2004094856.tif 000004
【図３】
2004094856.tif 000005
【図４】
2004094856.tif 000006